(57)【要約】      （修正有）【課題】鉛筆を提供する。【解決手段】鉛筆１００は本体１１０及びコート層１２０を備え、本体は対向して設置される頂面１１１及び底面１１３と、頂面と底面の間に隣接する側面１１５と、を有し、コート層は側面に形成され且つ複数のディンプル１２１を有し、手部が本体に接触する際、複数のディンプルは手部と本体との間の摩擦力を増加するために用いられる。【選択図】図１
0003208492.tif 000002
【実用新案登録請求の範囲】
【請求項１】
対向して設置される頂面及び底面と、前記頂面と前記底面の間に隣接する側面と、を有する本体と、
前記側面に形成され且つ複数のディンプルを有するコート層と、
を備え、手部が前記本体に接触する際、複数のディンプルは前記手部と前記本体との間の摩擦力を増加するために用いられることを特徴とする鉛筆。
【請求項２】
複数のディンプルにおいて、隣り合う２つのディンプルの間には間隔があることを特徴とする請求項１に記載の鉛筆。
【請求項３】
複数の間隔の距離は互いに同じであることを特徴とする請求項２に記載の鉛筆。
【請求項４】
複数の間隔は第一間隔と第二間隔の二種類に分けられ、前記第一間隔と前記第二間隔の距離は互いに異なることを特徴とする請求項２に記載の鉛筆。
【請求項５】
複数のディンプルは前記側面の一部分に分布されることを特徴とする請求項１に記載の鉛筆。
【請求項６】
前記本体は前記頂面から前記底面に向かって延伸して第一延伸方向を有し、複数のディンプルは前記第一延伸方向に沿って前記本体に分布されることを特徴とする請求項１に記載の鉛筆。
【請求項７】
前記側面は前記本体を囲んで第二延伸方向を有し、前記第二延伸方向は前記第一延伸方向に平行しなく、前記コート層のディンプル毎は前記第二延伸方向に沿って延伸して環状になることを特徴とする請求項６に記載の鉛筆。
【考案の詳細な説明】
【技術分野】
【０００１】
本考案は、鉛筆に関するものであって、特にスライド防止機能を有する鉛筆に関するものである。
【背景技術】
【０００２】
鉛筆は筆芯と軸体からなり、筆芯成分は黒鉛と粘土などを備え、研磨、蒸乾、撹拌、乾燥、切断、クランプなどの複数の製造工程によって円柱体に成形され、軸体は上下両層の木製板材からなる。鉛筆の生産工程において、先ず筆芯を下層の木製板材の溝部に配設してから、対応する溝部を有する上層の木製板材を下層の木製板材に接着し、それから焼成、切断などの製造工程によって軸体を形成すると、ホワイトロッド鉛筆の製造を完成する。
【０００３】
鉛筆の側面が手指に傷を付けることを防止し且つ鉛筆の外観を改善するために、ホワイトロッド鉛筆を塗料層で被覆することを必要とする。前記塗料は鉛筆塗料であり、機能によって下塗り塗料、上塗り塗料、透明塗料に分けられ、軸体の木目と凹凸表面を埋め立てるために、軸体の表面に下塗り塗料を塗布して下塗り塗膜を形成し、鉛筆に色彩を提供するために、下塗り塗膜の上に上塗り塗料を塗布して上塗り塗膜を形成し、鉛筆の外観の明るさを増加するために、上塗り塗膜の上に透明塗料を塗布する。このようにホワイトロッド鉛筆に鉛筆塗料を繰り返して塗布し且つ焼成してから、熱転写技術を採用し、且つ鉛筆の後端部に金属ホルダーと消しゴムを設置することにより、現在市販されている鉛筆を生産した。
【０００４】
しかし、市販されている鉛筆は鉛筆塗料を繰り返して塗布したので平坦性の問題を改善したが、鉛筆表面がスムーズになる。換言すると、使用者が鉛筆で文字を書く時に軸体表面がスムーズ過ぎるので、手部と軸体との間で相対的な移動又はスライドが発生して、操作不便な問題がある。
【考案の概要】
【考案が解決しようとする課題】
【０００５】
本考案は、従来の技術に既存する操作不便な問題を解決することができる鉛筆を提供する。
【課題を解決するための手段】
【０００６】
本考案に係わる鉛筆は本体及びコート層を備え、本体は対向して設置される頂面及び底面と、頂面と底面の間に隣接する側面と、を有し、コート層は側面に形成され且つ複数のディンプルを有し、手部が本体に接触する際、複数のディンプルは手部と本体との間の摩擦力を増加するために用いられる。
【０００７】
本考案の具体的な実施方式において、複数のディンプルにおける隣り合う２つのディンプルの間には間隔がある。
【０００８】
本考案の具体的な実施方式において、複数の間隔の距離は互いに同じである。
【０００９】
本考案の具体的な実施方式において、複数の間隔は第一間隔と第二間隔の二種類に分けられ、前記第一間隔と前記第二間隔の距離は互いに異なる。
【００１０】
本考案の具体的な実施方式において、複数のディンプルは側面の一部分に分布される。
【００１１】
本考案の具体的な実施方式において、本体は頂面から底面に向かって延伸して第一延伸方向を有し、複数のディンプルは第一延伸方向に沿って本体に分布される。
【００１２】
本考案の具体的な実施方式において、側面は本体を囲んで第二延伸方向を有し、第二延伸方向は第一延伸方向に平行しなく、コート層のディンプル毎は第二延伸方向に沿って延伸して環状になる。
【考案の効果】
【００１３】
本考案に係わる鉛筆はコート層に複数のディンプルを開設したので、手部が本体の側面に接触する際、複数のディンプルは側面の表面積を増加するので、複数のディンプルによって手部と本体との間の摩擦力を増加することができ、従って手部と鉛筆との間で相対的な移動又はスライドが少なく発生され、従来の技術の操作不便問題を改善することができる。
【図面の簡単な説明】
【００１４】
【図１】本考案の実施例に係わる鉛筆の斜視図である。
【図２】本考案の別の実施例に係わる鉛筆の斜視図である。
【図３】本考案の実施例に係わる鉛筆の使用状態を示す図である。
【考案を実施するための形態】
【００１５】
図１は本考案の実施例に係わる鉛筆の斜視図である。図１に示されたように、本実施例に係わる鉛筆１００は本体１１０及びコート層１２０を備える。本体１１０は円柱体、三角柱体又は四角柱体などであり、本考案は本体１１０の具体的形状を限定しなく、図１はただ円柱体を例とする。本体１１０は筆芯（図示せず）を保持するために用いられ、従って使用者が絵を描いたり文字を書いたりすることができ、鉛筆塗料であるコート層１２０は本体１１０表面の平坦性を高めるために用いられる。
【００１６】
本体１１０は、頂面１１１と、頂面１１１の反対側に位置する底面１１３と、頂面１１１と底面１１３の間に隣接する側面１１５と、を備え、複数のディンプル１２１を有するコート層１２０は、本体１１０の側面１１５に形成されている。コート層１２０は、例えば、刷毛塗り、スプレーコーティング又は塗布などの方式によって本体１１０の側面１１５に形成され、コート層１２０の複数のディンプル１２１は圧合方式によって形成されるが、本考案はコート層１２０及びディンプル１２１の形成方式を特に限定しない。
【００１７】
本考案の実施例において、本体１１０は頂面１１１から底面１１３に向かって延伸して第一延伸方向Ｎ１を有し、複数のディンプル１２１は第一延伸方向Ｎ１に沿って本体１１０に分布され、隣り合う２つのディンプル１２１の間には間隔があり、これらの間隔は第一間隔Ｄ１と第二間隔Ｄ２の二種類に分けられ、第一間隔Ｄ１と第二間隔Ｄ２の距離は異なる。本実施例において、複数の第一間隔Ｄ１及び複数の第二間隔Ｄ２を備え、各々の第一間隔Ｄ１と各々の第二間隔Ｄ２は互いに交互に配列されるが、それに限定されるものではなく、他の実施例において、複数の第一間隔Ｄ１と複数の第二間隔Ｄ２はランダムに配列されることができる。本実施例において、第一間隔Ｄ１と第二間隔Ｄ２の距離は異なるが、それに限定されるものではなく、他の実施例において、第一間隔Ｄ１と第二間隔Ｄ２の距離は同じであることができる。従って、複数のディンプル１２１は第一延伸方向Ｎ１に沿って本体１１０に配列され、具体的に同じ又は異なる間隔で本体１１０の側面１１５に配列され、且つ各々のディンプル１２１は間隔組合に基づいて任意の配列形式になる。
【００１８】
本実施例において、側面１１５は本体１１０を囲んで第二延伸方向Ｎ２を有し、第二延伸方向Ｎ２は第一延伸方向Ｎ１に平行しなく、コート層１２０のディンプル１２１毎は第二延伸方向Ｎ２に沿って延伸して環状になるが、本考案は各々のディンプル１２１の具体的な形状を限定しない。第一延伸方向Ｎ１と第二延伸方向Ｎ２の位置関係について、例えば、第一延伸方向Ｎ１と第二延伸方向Ｎ２は互いに直交することができるが、それに限定されるものではなく、第一延伸方向Ｎ１と第二延伸方向Ｎ２との間の角度を変えることにより不平行の関係を生じることができる。
【００１９】
図２は、本考案の別の実施例に係わる鉛筆の斜視図である。図２に示されたように、本実施例の鉛筆１００ａと図１に示された鉛筆１００は類似するが、コート層１２０におけるディンプル１２１の分布位置が異なる。本実施例において、複数のディンプル１２１は本体１１０の全ての側面１１５に均一に分布されており、即ち側面１１５の頂面１１１及び底面１１３に近い箇所にもディンプル１２１が形成されている。このように本体１１０の側面１１５に複数のディンプル１２１を設置すると、手部２と本体１１０との間の摩擦力を増加して、鉛筆の操作不便問題を改善することができる。
【００２０】
図３は図１に示された鉛筆の使用状態を示す図である。図１及び図３を一緒に参照すると、本体１１０の側面１１５及びそれに被覆されたコート層１２０には複数のディンプル１２１が形成されており、複数のディンプル１２１は側面１１５の表面積を増加するので、手部２が側面１１５に接触する際、ディンプル１２１によって手部２と本体１１０との間の摩擦力を増加することができ、従って手部２と本体１１０との間で相対的な移動又はスライドが少なく発生され、鉛筆の操作不便問題を改善する。
【００２１】
上述したように、本考案に係わる鉛筆はコート層に複数のディンプルを開設したので、手部が本体の側面に接触する際、ディンプルによって手部と鉛筆との間の摩擦力を増加することができ、従って手部と鉛筆との間で相対的な移動又はスライドが少なく発生され、従来の技術の操作不便問題を改善することができる。又、複数のディンプルは本体の全ての側面に均一に分布されているので、手部と本体との間の摩擦力を増加することができ、従って鉛筆の操作不便問題を改善する。
【００２２】
以上実施例に基づいて本考案を具体的に説明したが、本考案は上述の実施例に限定されるものではなく、その要旨を逸脱しない限り、添付の特許請求の範囲の精神及び範囲内に含まれる種々の変更や類似の構成は、すべて最も広い解釈によって本考案の保護範囲内に含まれる。
【符号の説明】
【００２３】
１００，１１０ａ  鉛筆
１１０  本体
１１１  頂面
１１３  底面
１１５  側面
１２０  コート層
１２１  ディンプル
Ｄ１  第一間隔
Ｄ２  第二間隔
Ｎ１  第一延伸方向
Ｎ２  第二延伸方向
【図１】
0003208492.tif 000003
【図２】
0003208492.tif 000004
【図３】
0003208492.tif 000005